(57)【要約】【課題】飼料引出し装置は、飼料収納用ホッパー下部の連結パイプ部分に開閉自在に形成した開口部を緊急時には開いて、ここから縮小したダンパーを挿入して連結パイプを横断状に遮断するものとなっている。しかし、飼料の種類を変えてタンク内に入れることがあり、その時にオーガーの故障につながるなどの問題がある。【解決手段】飼料収納用ホッパー１の下部に連結された連結パイプ２と、連結パイプの下方に連結された下方連結パイプ部の下方部分に右方向に連結された横パイプ５と、横パイプ内に内装された搬送用スクリュー６と、横パイプの先端下面に形成された飼料排出口７と、下方連結パイプ部内に配設されたスクリュー圧調整板部８から構成されている。【選択図】        図１
2004357548.tif 000002
【特許請求の範囲】
【請求項１】
飼料収納用ホッパー（１）の下部に連結された連結パイプ（２）と、連結パイプの下端に連結された蛇腹部（３）と、蛇腹部の下端に連結された下方連結パイプ部（４）と、下方連結パイプ部の下方部分に直交状態で右方向に連結された横パイプ（５）と、横パイプ内に回動自在に内装された搬送用スクリュー（６）と、横パイプの先端下面に形成された飼料排出口（７）と、下方連結パイプ部内に配設されたスクリュー圧調整板部（８）から構成され、スクリュー圧調整板部（８）は、下方連結パイプ部（４）内で露出している搬送用スクリューの上面を覆うように断面三角状に形成された三角板（８Ａ１）が当該搬送用スクリューとは所定間隔をもって取付けられていることを特徴とする飼料引出し装置。
【請求項２】
飼料収納用ホッパー（１）の下部に連結された連結パイプ（２）と、連結パイプの下端に連結された蛇腹部（３）と、蛇腹部の下端に連結された下方連結パイプ部（４）と、下方連結パイプ部の下方部分に直交状態で右方向に連結された横パイプ（５）と、横パイプ内に回動自在に内装された搬送用スクリュー（６）と、横パイプの先端下面に形成された飼料排出口（７）と、連結パイプに配設されたストップダンパー部（１１）及び飼料落下量調整板部（１２）から構成され、ストップダンパー部（１１）は、連結パイプ（２）の直径に相当する幅をもった横長の開口（１１Ａ１）と、この開口に挿脱自在のダンパー板（１１Ｂ１）から構成され、飼料落下量調整板部（１２）は、連結パイプ（２）の直径に相当する幅をもった横長の開口（１１Ａ１）と、この開口に挿脱自在の所定幅の調整板（１２Ａ１）から構成されていることを特徴とする飼料引出し装置。
【請求項３】
飼料収納用ホッパー（１）の下部に連結された連結パイプ（２）と、連結パイプの下端に連結された蛇腹部（３）と、蛇腹部の下端に連結された下方連結パイプ部（４）と、下方連結パイプ部の下方部分に直交状態で右方向に連結された横パイプ（５）と、横パイプ内に回動自在に内装された搬送用スクリュー（６）と、横パイプの先端下面に形成された飼料排出口（７）と、下方連結パイプ部内に配設されたスクリュー圧調整板部（８）と、連結パイプに配設された第１種ストップダンパー部（９）及び第１種飼料落下量調整板部（１０）から構成され、
スクリュー圧調整板部（８）は、下方連結パイプ部（４）内で露出している搬送用スクリューの上面を覆うように断面三角状に形成された三角板（８Ａ１）が当該搬送用スクリューとは所定間隔をもって取付けられ、
第１種ストップダンパー部（９）は、連結パイプ（２）の円筒（２Ａ）に開設された横長の開口（９Ａ）と、開口に開閉自在に取付けられた蓋（９Ｂ）と、円筒（２Ａ）内の中央部に開口（９Ａ）の下辺と同一高さで、かつ左右方向をもって横架された受棒（９Ｃ）と、開口（９Ａ）より円筒（２Ａ）内に挿脱するよう構成されたダンパー（９Ｄ）から構成され、
第１種飼料落下量調整板部（１０）は、連結パイプ（２）に設けられた第１種ストップダンパー部（９）の開口（９Ａ）より円筒（２Ａ）内に挿脱するよう構成された所定幅の調整板（１０Ａ１）から構成されていることを特徴とする飼料引出し装置。
【請求項４】
飼料収納用ホッパー（１）の下部に連結された連結パイプ（２）と、連結パイプの下端に連結された蛇腹部（３）と、蛇腹部の下端に連結された下方連結パイプ部（４）と、下方連結パイプ部の下方部分に直交状態で右方向に連結された横パイプ（５）と、横パイプ内に回動自在に内装された搬送用スクリュー（６）と、横パイプの先端下面に形成された飼料排出口（７）と、下方連結パイプ部内に配設されたスクリュー圧調整板部（８）と、連結パイプに配設されたストップダンパー部（１１）及び飼料落下量調整板部（１２）から構成され、
スクリュー圧調整板部（８）は、下方連結パイプ部（４）内で露出している搬送用スクリューの上面を覆うように断面三角状に形成された三角板（８Ａ１）が当該搬送用スクリューとは所定間隔をもって取付けられ、
ストップダンパー部（１１）は、連結パイプ（２）の直径に相当する幅をもった横長の開口（１１Ａ１）と、この開口に挿脱自在のダンパー板（１１Ｂ１）から構成され、
飼料落下量調整板部（１２）は、連結パイプ（２）の直径に相当する幅をもった横長の開口（１１Ａ１）と、この開口に挿脱自在の所定幅の調整板（１２Ａ１）から構成されていることを特徴とする飼料引出し装置。
【請求項５】
請求項１、請求項３、請求項４記載の飼料引出し装置において、スクリュー圧調整板部（８）の三角板（８Ａ１）は昇降調整自在に構成されていることを特徴とする飼料引出し装置。
【発明の詳細な説明】
【０００１】
【発明の属する技術分野】
本発明は、新規な構成を有する飼料引出し装置を提供しようとするものである。
【０００２】
【従来の技術】
従来のものは下記のような構成となっている。
飼料収納用ホッパーの下部に連結された連結パイプ部分に開閉自在に構成された横長の開口部を形成して、緊急時にはこの開口部を開いて、ここから縮小したダンパーを挿入した後、これを開いて当該連結パイプを横断状に遮断する構造のものとなっている。
このようなものに関して、発明者は先に考案（「特許文献１」参照）した。
【０００３】
【特許文献１】
実用新案登録第２０７１６０６号公報
【０００４】
【発明が解決しようとする課題】
従来の技術で述べたものにあっては、下記のような問題点に対して必ずしも充分に対応できない状態にある。
Ａ．現在、飼料の種類は、重量が軽いものあるいは重たいもの、また粒が大きいものあるいは小さいものなど数多くある。
Ｂ．場合によっては飼料の種類を変えてタンク内に入れることがあるが、飼料の種類によって飼料の落下が違うのでオーガーの故障につながる可能性がある。
Ｃ．飼料をタンク内に入れた時、飼料がタンク内で固まって落下しない時がある。その時、何かのショックを加えた時、飼料は急落下する。その時、オーガーの故障につながる。
【０００５】
本発明は、従来の技術の有するこのような問題点に鑑みなされたものであり、その目的とするところは、上述の問題を解決できるものを提供しようとするものである。
【０００６】
【課題を解決するための手段】
上記目的を達成するために、本発明は下記のようになるものである。
すなわち、
請求項１記載の発明は、飼料収納用ホッパー１の下部に連結された連結パイプ２と、連結パイプの下端に連結された蛇腹部３と、蛇腹部の下端に連結された下方連結パイプ部４と、下方連結パイプ部の下方部分に直交状態で右方向に連結された横パイプ５と、横パイプ内に回動自在に内装された搬送用スクリュー６と、横パイプの先端下面に形成された飼料排出口７と、下方連結パイプ部内に配設されたスクリュー圧調整板部８から構成され、スクリュー圧調整板部８は、下方連結パイプ部４内で露出している搬送用スクリューの上面を覆うように断面三角状に形成された三角板８Ａ１が当該搬送用スクリューとは所定間隔をもって取付けられていることを特徴とするものである。
【０００７】
請求項２記載の発明は、飼料収納用ホッパー１の下部に連結された連結パイプ２と、連結パイプの下端に連結された蛇腹部３と、蛇腹部の下端に連結された下方連結パイプ部４と、下方連結パイプ部の下方部分に直交状態で右方向に連結された横パイプ５と、横パイプ内に回動自在に内装された搬送用スクリュー６と、横パイプの先端下面に形成された飼料排出口７と、連結パイプに配設されたストップダンパー部１１及び飼料落下量調整板部１２から構成され、ストップダンパー部１１は、連結パイプ２の直径に相当する幅をもった横長の開口１１Ａ１と、この開口に挿脱自在のダンパー板１１Ｂ１から構成され、飼料落下量調整板部１２は、連結パイプ２の直径に相当する幅をもった横長の開口１１Ａ１と、この開口に挿脱自在の所定幅の調整板１２Ａ１から構成されていることを特徴とするものである。
【０００８】
請求項３記載の発明は、飼料収納用ホッパー１の下部に連結された連結パイプ２と、連結パイプの下端に連結された蛇腹部３と、蛇腹部の下端に連結された下方連結パイプ部４と、下方連結パイプ部の下方部分に直交状態で右方向に連結された横パイプ５と、横パイプ内に回動自在に内装された搬送用スクリュー６と、横パイプの先端下面に形成された飼料排出口７と、下方連結パイプ部内に配設されたスクリュー圧調整板部８と、連結パイプに配設された第１種ストップダンパー部９及び第１種飼料落下量調整板部１０から構成され、
スクリュー圧調整板部８は、下方連結パイプ部４内で露出している搬送用スクリューの上面を覆うように断面三角状に形成された三角板８Ａ１が当該搬送用スクリューとは所定間隔をもって取付けられ、
第１種ストップダンパー部９は、連結パイプ２の円筒２Ａに開設された横長の開口９Ａと、開口に開閉自在に取付けられた蓋９Ｂと、円筒２Ａ内の中央部に開口９Ａの下辺と同一高さで、かつ左右方向をもって横架された受棒９Ｃと、開口９Ａより円筒２Ａ内に挿脱するよう構成されたダンパー９Ｄから構成され、
第１種飼料落下量調整板部１０は、連結パイプ２に設けられた第１種ストップダンパー部９の開口９Ａより円筒２Ａ内に挿脱するよう構成された所定幅の調整板１０Ａ１から構成されていることを特徴とするものである。
【０００９】
請求項４記載の発明は、飼料収納用ホッパー１の下部に連結された連結パイプ２と、連結パイプの下端に連結された蛇腹部３と、蛇腹部の下端に連結された下方連結パイプ部４と、下方連結パイプ部の下方部分に直交状態で右方向に連結された横パイプ５と、横パイプ内に回動自在に内装された搬送用スクリュー６と、横パイプの先端下面に形成された飼料排出口７と、下方連結パイプ部内に配設されたスクリュー圧調整板部８と、連結パイプに配設されたストップダンパー部１１及び飼料落下量調整板部１２から構成され、
スクリュー圧調整板部８は、下方連結パイプ部４内で露出している搬送用スクリューの上面を覆うように断面三角状に形成された三角板８Ａ１が当該搬送用スクリューとは所定間隔をもって取付けられ、
ストップダンパー部１１は、連結パイプ２の直径に相当する幅をもった横長の開口１１Ａ１と、この開口に挿脱自在のダンパー板１１Ｂ１から構成され、
飼料落下量調整板部１２は、連結パイプ２の直径に相当する幅をもった横長の開口１１Ａ１と、この開口に挿脱自在の所定幅の調整板１２Ａ１から構成されていることを特徴とするものである。
【００１０】
請求項５記載の発明は、請求項１、請求項３、請求項４記載の発明において、スクリュー圧調整板部８の三角板８Ａ１は昇降調整自在に構成されていることを特徴とするものである。
【００１１】
【発明の実施の形態】
以下、本発明の実施の形態を実施例にもとづき図面を参照して説明する。
イは第１発明の飼料引出し装置である。
ロは第２発明の飼料引出し装置である。
ハは第３発明の飼料引出し装置である。
ニは第４発明の飼料引出し装置である。
【００１２】
第１発明の飼料引出し装置イを説明する。（図１〜図７を参照する）
その構成は、飼料収納用ホッパー１の下部に連結された連結パイプ２と、連結パイプの下端に連結された蛇腹部３と、蛇腹部の下端に連結された下方連結パイプ部４と、下方連結パイプ部の下方部分に直交状態で右方向に連結された横パイプ５と、横パイプ内に回動自在に内装された搬送用スクリュー６と、横パイプの先端下面に形成された飼料排出口７と、下方連結パイプ部内に配設されたスクリュー圧調整板部８から構成されている。
【００１３】
Ａ．連結パイプ２は、円筒２Ａと円筒の上端に形成したフランジ２Ｂから構成されている。
このフランジを利用して飼料収納用ホッパーと連結されている。
Ｂ．下方連結パイプ部４は、搬送用スクリュー６の左方端部分の下面に沿うよう形成された底面４Ａと、底面の前後辺に連設された前後面４Ｂと、底面４Ａと前後面４Ｂ間に張設された左右の側面４Ｃ、４Ｄから構成されている。
この場合、下方連結パイプ部４における右側面４Ｄに横パイプ５が連結されている。
また、下方連結パイプ部４の上端は蛇腹部の下端に連結されている。
Ｃ．スクリュー圧調整板部８は、調整板８Ａと支持具８Ｂから構成されている。
ａ．調整板８Ａは、下方連結パイプ部４内で露出している搬送用スクリューの上面を覆うように断面三角状に形成された三角板８Ａ１と、三角板の左右端に上方に向け連結された側板８Ａ２と、側板の中央に開設した縦長Ｕ字状の連結溝８Ａ３から構成されている。
ｂ．支持具８Ｂは、下方連結パイプ部４における左右の側面４Ｃ、４Ｄの中央部分に、調整板８Ａの連結溝８Ａ３を支持する左右の蝶ネジで構成されている。
この場合、連結溝８Ａ３が縦長Ｕ字状に構成されているから、調整板８Ａの支持高さ、すなわち、搬送用スクリューの上面との距離を調整することができる。
ｃ．この三角板８Ａ１の幅は、図６に示すように広い幅Ｗ１としたり、図５のように狭い幅Ｗとすることができる。
【００１４】
第２発明の飼料引出し装置ロを説明する。（図８〜図１２を参照する。）
その構成は、飼料収納用ホッパー１の下部に連結された連結パイプ２と、連結パイプの下端に連結された蛇腹部３と、蛇腹部の下端に連結された下方連結パイプ部４と、下方連結パイプ部の下方部分に直交状態で右方向に連結された横パイプ５と、横パイプ内に回動自在に内装された搬送用スクリュー６と、横パイプの先端下面に形成された飼料排出口７と、連結パイプに配設されたストップダンパー部１１及び飼料落下量調整板部１２から構成されている。
【００１５】
Ａ．連結パイプ２は、円筒２Ａと円筒の上端に形成したフランジ２Ｂから構成されている。
このフランジを利用して飼料収納用ホッパーと連結されている。
Ｂ．下方連結パイプ部４は、搬送用スクリュー６の左方端部分の下面に沿うよう形成された底面４Ａと、底面の前後辺に連設された前後面４Ｂと、底面４Ａと前後面４Ｂ間に張設された左右の側面４Ｃ、４Ｄから構成されている。
この場合、下方連結パイプ部４における右側面４Ｄに横パイプ５が連結されている。
また、下方連結パイプ部４の上端は蛇腹部の下端に連結されている。
Ｃ．ストップダンパー部１１は、ダンパー受口１１Ａとダンパー１１Ｂと受棒１１Ｃから構成されている。
ダンパー受口１１Ａは、連結パイプ２の円筒２Ａに開設された当該連結パイプ２の直径に相当する幅をもった横長の開口１１Ａ１と、開口の下辺に前方に向け連設された下方誘導板１１Ａ２と、開口の上辺に前方に向け連設された上方誘導板１１Ａ３と、側壁１１Ａ４から構成されている。
受棒１１Ｃは、円筒２Ａ内の中央部に開口１１Ａ１の下辺と同一高さで、かつ左右方向をもって横架されている。
ダンパー１１Ｂは、開口１１Ａ１より円筒２Ａ内に挿脱するよう構成されている。
そこで、このダンパー１１Ｂは、連結パイプ２の円筒２Ａの内側面積に相当する面積を有する平面略Ｕ字状のダンパー板１１Ｂ１と、このダンパー板の前辺に連設されたつまみ１１Ｂ２から構成されている。
（図１１、図１２参照）
Ｄ．飼料落下量調整板部１２は、連結パイプ２に設けられたストップダンパー部１１の開口１１Ａ１より円筒２Ａ内に挿脱する調整板部１２Ａで構成されている。
そこで、この調整板部１２Ａは、開口１１Ａ１から連結パイプ２内に挿脱可能に構成された所定幅の調整板１２Ａ１と、当該調整板の長手方向と直交方向をもって取付けられたつまみ１２Ａ２から構成されている。
（図１１、図１２参照）
【００１６】
第３発明の飼料引出し装置ハを説明する。（図１３〜図２６を参照する。）
その構成は、飼料収納用ホッパー１の下部に連結された連結パイプ２と、連結パイプの下端に連結された蛇腹部３と、蛇腹部の下端に連結された下方連結パイプ部４と、下方連結パイプ部の下方部分に直交状態で右方向に連結された横パイプ５と、横パイプ内に回動自在に内装された搬送用スクリュー６と、横パイプの先端下面に形成された飼料排出口７と、下方連結パイプ部内に配設されたスクリュー圧調整板部８と、連結パイプに配設された第１種ストップダンパー部９及び第１種飼料落下量調整板部１０から構成されている。
【００１７】
Ａ．連結パイプ２は、円筒２Ａと円筒の上端に形成したフランジ２Ｂから構成されている。
このフランジを利用して飼料収納用ホッパーと連結されている。
Ｂ．下方連結パイプ部４は、搬送用スクリュー６の左方端部分の下面に沿うよう形成された底面４Ａと、底面の前後辺に連設された前後面４Ｂと、底面４Ａと前後面４Ｂ間に張設された左右の側面４Ｃ、４Ｄから構成されている。
この場合、下方連結パイプ部４における右側面４Ｄに横パイプ５が連結されている。
また、下方連結パイプ部４の上端は蛇腹部の下端に連結されている。
Ｃ．スクリュー圧調整板部８は、調整板８Ａと支持具８Ｂから構成されている。
ａ．調整板８Ａは、下方連結パイプ部４内で露出している搬送用スクリューの上面を覆うように断面三角状に形成された三角板８Ａ１と、三角板の左右端に上方に向け連結された側板８Ａ２と、側板の中央に開設した縦長Ｕ字状の連結溝８Ａ３から構成されている。
ｂ．支持具８Ｂは、下方連結パイプ部４における左右の側面４Ｃ、４Ｄの中央部分に、調整板８Ａの連結溝８Ａ３を支持する左右の蝶ネジで構成されている。
この場合、連結溝８Ａ３が縦長Ｕ字状に構成されているから、調整板８Ａの支持高さ、すなわち、搬送用スクリューの上面との距離を調整することができる。
ｃ．この三角板８Ａ１の幅は、図１８に示すように広い幅Ｗ１としたり、図１７のように狭い幅Ｗとすることができる。
【００１８】
Ｄ．第１種ストップダンパー部９は、連結パイプ２の円筒２Ａに開設された横長の開口９Ａと、開口に開閉自在に取付けられた蓋９Ｂと、円筒２Ａ内の中央部に開口９Ａの下辺と同一高さで、かつ左右方向をもって横架された受棒９Ｃと、開口９Ａより円筒２Ａ内に挿脱するよう構成されたダンパー９Ｄから構成されている。
図中、９Ｂ１はフック、９Ｂ２は蝶ネジである。
ａ．そこで、このダンパー９Ｄは、平面左方に向け逆Ｕ字状に構成された半円状の左方板体９Ｄ１の先端と、平面右方に向け逆Ｕ字状に構成された半円状の右方板体９Ｄ２の先端とが縦ピン９Ｄ３で連結され、左方板体と右方板体には把手９Ｄ４がそれぞれ取付けられている。
ｂ．この結果、図２２のごとく左右の把手９Ｄ４を外方に開くと、左方板体と右方板体が重なった状態となり、連結パイプ２の円筒２Ａに開設された横長の開口９Ａより挿脱できる。
また、図２３のごとく左右の把手９Ｄ４を内方に閉じると、左方板体と右方板体が連結パイプ２の円筒２Ａ内で平面円形に広がりダンパーとしての作用を営むことになる。
Ｅ．第１種飼料落下量調整板部１０は、連結パイプ２に設けられた第１種ストップダンパー部９の開口９Ａより円筒２Ａ内に挿脱するよう構成された調整板部１０Ａで構成されている。
そこで、この調整板部１０Ａは、開口９Ａから連結パイプ２内に挿脱可能に構成された所定幅の調整板１０Ａ１と、当該調整板の長手方向と直交方向をもって取付けられたつまみ１０Ａ２から構成されている。
調整板１０Ａ１の面積は図２４のごとく大きいものと小さいものを用意すると良い。
（図２４ないし図２６参照）
【００１９】
第４発明の飼料引出し装置ニを説明する。（図２７〜図３４を参照する。）
その構成は、飼料収納用ホッパー１の下部に連結された連結パイプ２と、連結パイプの下端に連結された蛇腹部３と、蛇腹部の下端に連結された下方連結パイプ部４と、下方連結パイプ部の下方部分に直交状態で右方向に連結された横パイプ５と、横パイプ内に回動自在に内装された搬送用スクリュー６と、横パイプの先端下面に形成された飼料排出口７と、下方連結パイプ部内に配設されたスクリュー圧調整板部８と、連結パイプに配設されたストップダンパー部１１及び飼料落下量調整板部１２から構成されている。
【００２０】
Ａ．連結パイプ２は、円筒２Ａと円筒の上端に形成したフランジ２Ｂから構成されている。
このフランジを利用して飼料収納用ホッパーと連結されている。
Ｂ．下方連結パイプ部４は、搬送用スクリュー６の左方端部分の下面に沿うよう形成された底面４Ａと、底面の前後辺に連設された前後面４Ｂと、底面４Ａと前後面４Ｂ間に張設された左右の側面４Ｃ、４Ｄから構成されている。
この場合、下方連結パイプ部４における右側面４Ｄに横パイプ５が連結されている。
また、下方連結パイプ部４の上端は蛇腹部の下端に連結されている。
Ｃ．スクリュー圧調整板部８は、調整板８Ａと支持具８Ｂから構成されている。
ａ．調整板８Ａは、下方連結パイプ部４内で露出している搬送用スクリューの上面を覆うように断面三角状に形成された三角板８Ａ１と、三角板の左右端に上方に向け連結された側板８Ａ２と、側板の中央に開設した縦長Ｕ字状の連結溝８Ａ３から構成されている。
ｂ．支持具８Ｂは、下方連結パイプ部４における左右の側面４Ｃ、４Ｄの中央部分に、調整板８Ａの連結溝８Ａ３を支持する左右の蝶ネジで構成されている。
この場合、連結溝８Ａ３が縦長Ｕ字状に構成されているから、調整板８Ａの支持高さ、すなわち、搬送用スクリューの上面との距離を調整することができる。
ｃ．この三角板８Ａ１の幅は、図３２に示すように広い幅Ｗ１としたり、図３１のように狭い幅Ｗとすることができる。
【００２１】
Ｄ．ストップダンパー部１１は、ダンパー受口１１Ａとダンパー１１Ｂと受棒１１Ｃから構成されている。
ダンパー受口１１Ａは、連結パイプ２の円筒２Ａに開設された当該連結パイプ２の直径に相当する幅をもった横長の開口１１Ａ１と、開口の下辺に前方に向け連設された下方誘導板１１Ａ２と、開口の上辺に前方に向け連設された上方誘導板１１Ａ３と、側壁１１Ａ４から構成されている。
受棒１１Ｃは、円筒２Ａ内の中央部に開口１１Ａ１の下辺と同一高さで、かつ左右方向をもって横架されている。
ダンパー１１Ｂは、開口１１Ａ１より円筒２Ａ内に挿脱するよう構成されている。
そこで、このダンパー１１Ｂは、連結パイプ２の円筒２Ａの内側面積に相当する面積を有する平面略Ｕ字状のダンパー板１１Ｂ１と、このダンパー板の前辺に連設されたつまみ１１Ｂ２から構成されている。
（図３３、図３４参照）
Ｅ．飼料落下量調整板部１２は、連結パイプ２に設けられたストップダンパー部１１の開口１１Ａ１より円筒２Ａ内に挿脱するよう構成された調整板部１２Ａで構成されている。
そこで、この調整板部１２Ａは、開口１１Ａ１から連結パイプ２内に挿脱可能に構成された所定幅の調整板１２Ａ１と、当該調整板の長手方向と直交方向をもって取付けられたつまみ１２Ａ２から構成されている。
（図３３、図３４参照）
【００２２】
【発明の効果】
本発明は、上述の通り構成されているので次に記載する効果を奏する。
１．第１発明の効果
Ａ．通常は搬送用スクリューを回転せしめると、飼料収納用ホッパー１内の飼料は飼料排出口より排出されることになる。
Ｂ．スクリュー圧調整板部８が設けられているから、飼料が三角板部分により前後に分れて搬送用スクリューの両側に落下することになり、当該搬送用スクリューに対する異常な圧力を防止し、円滑な作動を可能にすることができる。
また、スクリュー圧調整板部の支持高さが調整自在に構成されているから、飼料の種類によって適宜調整することができる。
この場合、スクリュー圧調整板部がないと、飼料が搬送用スクリューに対して一度に上方から落下した場合、搬送用スクリューに異常な圧力がかかり円滑な作動を阻害し故障の原因となる。
【００２３】
２．第２発明の効果
Ａ．通常は搬送用スクリューを回転せしめると、飼料収納用ホッパー１内の飼料は飼料排出口より排出されることになる。
Ｂ．ストップダンパー部１１が設けられているから、何かの事情で搬送用スクリューを止める必要がある場合、ダンパー受口１１Ａにダンパー１１Ｂを挿入することで、飼料の落下を停止させ、必要な処理を行うことができる。
Ｃ．飼料落下量調整板部１２が設けられているから、何かの事情で飼料の落下量を調整する必要が生じた場合、ダンパー受口１１Ａに調整板部１２Ａを挿入することで、飼料の落下量を調整することができる。
【００２４】
３．第３発明の効果
Ａ．通常は蓋９Ｂを取付けた状態で搬送用スクリューを回転せしめると、飼料収納用ホッパー内の飼料は飼料排出口より排出されることになる。
Ｂ．スクリュー圧調整板部８が設けられているから、飼料が三角板部分により前後に分れて搬送用スクリューの両側に落下することになり、当該搬送用スクリューに対する異常な圧力を防止し、円滑な作動を可能にすることができる。
また、スクリュー圧調整板部の支持高さが調整自在に構成されているから、飼料の種類によって適宜調整することができる。
Ｃ．第１種ストップダンパー部９が設けられているから、何かの事情で搬送用スクリューを止める必要がある場合、開口から蓋９Ｂを取り、ダンパーの左方板体と右方板体を重ねた状態にして開口から押し込む。
こののち、ダンパーの左方板体と右方板体を平面円形に広げることにより、ダンパーが連結パイプ２内に張設されることになる。
この結果、飼料収納用ホッパー内の飼料の流下を止めるから、搬送用スクリューなどの保守作業を行うことができる。
この場合、ダンパーは受棒９Ｃで支持されることになるから、流下しようとする飼料の重圧に対して確実に耐えることができる。
さらに、ダンパーが連結パイプに対して挿脱自在に構成されているから、取外したのち仮に飼料が当該ダンパーに付着するようなことがあっても、手元で簡単に付着飼料を除去することができる。
加えて、装着する場合も取外す場合も、左右の把手を支持して、これを外方に開いたり、内方に閉じたりすると言う極めて簡単な操作により必要な作業を確実に行うことができる。
Ｄ．第１種飼料落下量調整板部１０が設けられているから、何かの事情で飼料の落下量を調整する必要が生じた場合、第１種ストップダンパー部９の開口９Ａに調整板部１０Ａを挿入することで、飼料の落下量を調整することができる。
【００２５】
４．第４発明の効果
Ａ．通常は搬送用スクリューを回転せしめると、飼料収納用ホッパー１内の飼料は飼料排出口より排出されることになる。
Ｂ．スクリュー圧調整板部８が設けられているから、飼料が三角板部分により前後に分れて搬送用スクリューの両側に落下することになり、当該搬送用スクリューに対する異常な圧力を防止し、円滑な作動を可能にすることができる。
また、スクリュー圧調整板部の支持高さが調整自在に構成されているから、飼料の種類によって適宜調整することができる。
Ｃ．ストップダンパー部１１が設けられているから、何かの事情で搬送用スクリューを止める必要がある場合、ダンパー受口１１Ａにダンパー１１Ｂを挿入することで、飼料の落下を停止させ、必要な処理を行うことができる。
Ｄ．飼料落下量調整板部１２が設けられているから、何かの事情で飼料の落下量を調整する必要が生じた場合、ダンパー受口１１Ａに調整板部１２Ａを挿入することで、飼料の落下量を調整することができる。
【図面の簡単な説明】
【図１】第１発明の１部を切欠いた全体の斜視図である。
【図２】同上における１部を切欠いた要部の正面図である。
【図３】Ａ−Ａ線拡大断面図である。
【図４】同上における他の実施例の断面図である。
【図５】図３における調整板の斜視図である。
【図６】図４における調整板の斜視図である。
【図７】Ｂ−Ｂ線拡大断面図である。
【図８】第２発明の１部を切欠いた全体の斜視図である。
【図９】同上における１部を切欠いた要部の正面図である。
【図１０】Ｃ−Ｃ線拡大断面図である。
【図１１】ストップダンパー部と飼料落下量調整板部の分解斜視図である。
【図１２】ストップダンパー部と飼料落下量調整板部の関係を示す縦断面図である。
【図１３】第３発明の１部を切欠いた全体の斜視図である。
【図１４】同上における１部を切欠いた要部の正面図である。
【図１５】Ｄ−Ｄ線拡大断面図である。
【図１６】同上における他の実施例の断面図である。
【図１７】図１５における調整板の斜視図である。
【図１８】図１６における調整板の斜視図である。
【図１９】第１種ストップダンパー部の分解斜視図である。
【図２０】ダンパーを取付けた状態の平面図である。
【図２１】ダンパーの分解斜視図である。
【図２２】ダンパーを取付ける状態の斜視図である。
【図２３】ダンパーの開閉状態を説明する平面図である。
【図２４】第１種飼料落下量調整板部の分解斜視図である。
【図２５】調整板を取付けた状態の斜視図である。
【図２６】同上の縦断面図である。
【図２７】第４発明の１部を切欠いた全体の斜視図である。
【図２８】同上における１部を切欠いた要部の正面図である。
【図２９】Ｅ−Ｅ線拡大断面図である。
【図３０】同上における他の実施例の断面図である。
【図３１】図２９における調整板の斜視図である。
【図３２】図３０における調整板の斜視図である。
【図３３】ストップダンパー部と飼料落下量調整板部の分解斜視図である。
【図３４】ストップダンパー部と飼料落下量調整板部の関係を示す縦断面図である。
【符号の説明】
イ  第１発明の飼料引出し装置
１  飼料収納用ホッパー
２  連結パイプ
３  蛇腹部
４  下方連結パイプ部
５  横パイプ
６  搬送用スクリュー
７  飼料排出口
８  スクリュー圧調整板部
ロ  第２発明の飼料引出し装置
１１  ストップダンパー部
１２  飼料落下量調整板部
ハ  第３発明の飼料引出し装置
９  第１種ストップダンパー部
１０  第１種飼料落下量調整板部
ニ  第４発明の飼料引出し装置
【図１】
2004357548.tif 000003
【図２】
2004357548.tif 000004
【図３】
2004357548.tif 000005
【図４】
2004357548.tif 000006
【図５】
2004357548.tif 000007
【図６】
2004357548.tif 000008
【図７】
2004357548.tif 000009
【図８】
2004357548.tif 000010
【図９】
2004357548.tif 000011
【図１０】
2004357548.tif 000012
【図１１】
2004357548.tif 000013
【図１２】
2004357548.tif 000014
【図１３】
2004357548.tif 000015
【図１４】
2004357548.tif 000016
【図１５】
2004357548.tif 000017
【図１６】
2004357548.tif 000018
【図１７】
2004357548.tif 000019
【図１８】
2004357548.tif 000020
【図１９】
2004357548.tif 000021
【図２０】
2004357548.tif 000022
【図２１】
2004357548.tif 000023
【図２２】
2004357548.tif 000024
【図２３】
2004357548.tif 000025
【図２４】
2004357548.tif 000026
【図２５】
2004357548.tif 000027
【図２６】
2004357548.tif 000028
【図２７】
2004357548.tif 000029
【図２８】
2004357548.tif 000030
【図２９】
2004357548.tif 000031
【図３０】
2004357548.tif 000032
【図３１】
2004357548.tif 000033
【図３２】
2004357548.tif 000034
【図３３】
2004357548.tif 000035
【図３４】
2004357548.tif 000036